(57)【特許請求の範囲】
【請求項１】
トランジスタ・ユニットまたは類似のものを回路基板または類似のものに固定するためのクランプであって、前記トランジスタ・ユニットはトランジスタ・ボディ（６）と、留め具手段を受け取るように配置された２つの装着端と、前記トランジスタ・ユニットの反対側から前記トランジスタの両端に関して横方向に延長するコレクタ・タブ（８）とベース・タブ（７）を有するタイプであり、前記クランプは回路基板上の固定位置に前記トランジスタ・ユニットに重なって保持するように設計されたブリッジ（１）を含んでいて、前記クランプは更に前記ブリッジ（１）の下側からその対向する両横側から垂れ下がって縦方向に延長して、前記トランジスタ・ボディの両側に静止するように配置される弾力的な手段であって、圧縮される間じゅう、前記ブリッジが前記トランジスタ・ユニットに覆いかぶさり回路基板に固定されるときに、コレクタ・タブ（８）とベース・タブ（７）を下にある回路基板（１２）の電気的接触部（それぞれ１７および１６）対して押しつける弾力的な手段を有することを特徴とする前記クランプ。
【請求項２】
前記縦方向に延長する弾力的な手段（４）は、前記ブリッジ（１）の全長に沿って延長することを特徴とする請求項１記載のクランプ。
【請求項３】
前記縦方向に延長する弾力的な手段は、ブリッジが位置に固定されるときにトランジスタのコレクタ・タブとベース・タブだけを覆うブリッジの中間部に沿って延長するだけの、ブリッジの対向する横方向の両側の下側からによって縦方向に延長することを特徴とする請求項１記載のクランプ。
【請求項４】
ブリッジ（１）を通して延長するように設計された留め手段（３Ａ）のためにブリッジ（１）を貫通する複数の開口（３）と、トランジスタ・ユニットの装着端（１０、１８）と、回路基板上にトランジスタが固定される位置にトランジスタ・ユニットを保持するための回路基板とを備えることを特徴とする請求項１乃至３のいずれか１項に記載のクランプ。
【請求項５】
前記留め手段は、ねじ（３Ａ）である請求項１乃至４のいずれか１項に記載のクランプ。
【請求項６】
前記留め手段は、クリップ（３Ａ）である請求項１乃至４のいずれか１項に記載のクランプ。
【請求項７】
前記弾力のある手段は、弾性のあるクッションである請求項１乃至６のいずれか１項に記載のクランプ。
【請求項８】
前記弾性のあるクッションは、ブリッジの下側へ加硫硬化されていることを特徴とする請求項７記載のクランプ。
【請求項９】
前記弾性のあるクッションは、ブリッジの下側に接着剤で接着されていることを特徴とする請求項７記載のクランプ。
【発明の詳細な説明】
【０００１】
（発明の分野）
本発明は、パワー・トランジスタを下にある導体層へ接続するためのクランプに関する。このクランプはホルダおよびヒート・シンクとして作用し、またパワー・トランジスタの入力側と出力側の間の電磁的なバリアを構成し得る。それはトランジスタのベースおよびコレクタを下にある回路基板へ半田なしで接続することを提供する。
【０００２】
（関連技術）
多くの電子工学の応用は、比較的に大量の熱を発生する大電力トランジスタのような電子的構成要素を使用する。そうした応用の一つに、無線トランシーバの出力段階における無線周波数（ＲＦ）電力増幅器がある。そうした回路要素は非常に限定された領域内で電磁的な（ＥＭ）放出と共にかなりの量の熱を発生する。
【０００３】
これらの問題への一つの解決は、１９９６年４月３０日に出願した出願人の同時係属米国特許出願番号０８／６４０  ２５６（Ｍｙｒｂｅｒｇ）（対応するＰＣＴ  ＳＥ９７／００７０６、公開日          ）に提供されている。これはトランジスタの両端の２つの装着／接地フランジの間のヒート・シンク・ブリッジを記述しているが、それはトランジスタに橋を架け、ブリッジのそれぞれの端部とそれぞれの装着フランジを通して延長するねじにより回路基板上の位置にそれを保持するものである。装着とヒート・シンクの機能に加えて、それは電磁的なバリアとしても作用する。
【０００４】
前記複数の装着／接地フランジに対して横方向にトランジスタから延長するベース・タブとコレクタ・タブは、この場合従来は回路基板に手作業で半田付けまたは接着されてきた。電力増幅器は無線送信のために頻繁にターン・オンおよびターン・オフされるので、温度変動のために色々な物質が膨張し収縮するにつれてこれらの半田接合部がひび割れする危険がある。回路基板とトランジスタ・パッケージの異なった熱膨張係数のために、半田接合部に周期的な剪断応力が引き起される。
【０００５】
とりわけＵＳ−Ａ４，５９７，６１７およびＵＳ−Ａ５，０９９，３９３により知られているのは、圧力パッドを使用して回路基板上に集積回路を装着して、ＩＣと基板の導電部品の間に接触を確立し維持することである。これら２つの参考文献はパワー・トランジスタの装着とそれに関連する熱応力の問題に関連性がない。
【０００６】
（発明の要約）
本発明は、上に引用した出願人の同時係属出願に記述されたブリッジの利点、すなわち確実で容易なねじによるトランジスタの装着と接地、ヒート・シンクと電磁シールドを提供するとともに、トランジスタのベース・タブとコレクタ・タブを圧迫して下にある回路基板の導電性の銅の表面へ接触させるトランジスタ・クランプを提供することにより、パワー・トランジスタの装着におけるこれらおよび他の問題を解決する。この解決は、半田接続の不利な点、すなわち温度変動の反復の結果として半田接合部がそのエッジで結局裂けることなしにトランジスタの回路基板への電気的結合を確保する。高強度の半田は接合部の実用的な寿命を延ばすことができるが、それらはまた一層高い融解温度を有し、このことが構成要素に望ましくない応力を引き起す。トランジスタのタブを回路基板に半田付けまたは接着することに含まれる全ての問題は、本発明による解決により完全に回避でき、（ヒート・シンク）ブリッジを位置にねじ止めするときに自動的に電気的結合が設立される。本発明はまた自動化組立てを可能にする。これらのクランプはまた、修理やグレードアップなどのために種々のトランジスタ・ユニットを除去し接続する必要がある実験的な関係その他の関係において非常に有用である。
【０００７】
図１ａないし図１ｄは種々の方向から見たクランプを示す。クランプは、アルミニウム、銅、鉄などのような適当な熱伝導性物質から作られるブリッジ部１と、クランプがトランジスタ・ユニットを位置に保持するときに装着および接地のフランジに接触するように設計された脚２を含んでいる。ブリッジ１と脚２の各々を通してねじまたは他の留め具のためのスルーホ−ル３がある。クリップによりクランプを留めることも可能である。ブリッジの下側に沿って、ブリッジ１の各横側と平らに、弾力あるプラスチックまたはゴムの縦のクッション４が位置するが、これは装着中にその位置に保つために加硫（ｖｕｌｃａｎｉｚｉｎｇ）または接着剤により留められる。
【０００８】
図２は装着されるトランジスタ・ユニット５をクランプと共に示す。トランジスタ・ユニットは台座１１上に固定装着されるトランジスタ自体６からなる。トランジスタそのもの６から延長しているのは、２つの接地ウィング９と共にベース・タブ７およびコレクタ・タブ８である。
【０００９】
図２と図３は、本発明によるクランプがねじ３Ａによりトランジスタ・ユニットの上にどのように固定されて回路基板内の同一物を固定して、圧縮された縦方向のクッション４により加えられる連続的な垂直圧力により、ベースおよびコレクタ・タブ７と同８を下にある回路基板（図示なし）へ電気的に接続するかを示す。
【００１０】
台座１１は典型的に銅合金で作られて、単数または複数の回路基板のカットアウト内に嵌めこまれて、デバイスの搭載部品（ｃａｒｒｉｅｒ）上に載っている。位置へねじで取付けられるとき、ブリッジ１の脚２は、トランジスタ・パッケージを回路基板内のそのカットアウト内の位置に保持して、ペデスタル１１の装着・接地フランジ１０を搭載部品に対して圧迫する。これにより、熱を発生するトランジスタから下方の搭載部品へとブリッジに接触する上方のデバイス・カバー（図示なし）の両方へ熱散逸接続が設立される。この熱散逸機能は上に指摘した同時係属出願ＰＣＴ  ＳＥ９７／００７０６に記述されているものと同一である。
【００１１】
同時的に、更なる努力またはステップなしに、ベース・タブ７とコレクタ・タブ８が弾力あるクッションにより圧迫されて、下にある回路基板上の適当な銅線（ｔｒａｃｅ）と電気的に接触する。この接触により、温度変動による膨張と収縮の間にタブ７とタブ８が僅かに移動することができ、これに対して従来知られた半田付けまたは接着剤付けの接合部は応力疲労のために結局機能が止まり、これがまた隣接する構成要素への熱、半田、接着剤による損害のために特別な作業の遂行を必要とするかもしれない。
【００１２】
この発明の特定の変形によれば、弾力のあるクッションがブリッジのそれぞれの端部へ延長し、またこうして横方向に延長するウィング９をを圧迫して導電性のビア・ホール・アレイと接触させ、導電性のビア・ホールアレイはウィング９と多層回路基板内の接地層の間に電気的な接点を確立する。装着および検査のためには、接地接続を含む全ての電気的接続を単一の平面内に有することが好都合である。本発明の好ましい実施例によれば、全てのこれらの接続が半田付けなしに上述の熱による膨張と収縮についての利点を有して自動的に１平面内に設定される。
【００１３】
本発明のクランプの更なる実施例が図４と図５に示されるが、ここで図１、図２、図３と同一の部品は同一の参照番号を与えられている。図４は以前に示されたのとは別の実施例におけるクランプの分解組立図を示し、一層通常普通に製作される形式のトランジスタ・パッケージ、およびトランジスタとクランプがねじで固定される多層回路基板１２を示す。そうした多層回路基板は例えばコンパクトな無線基地局において、すべての電子機器を収納して使用される。
【００１４】
図５は、クランプを互いに保持するねじ３Ａ、トランジスタ・パッケージ５’、多層回路基板１２および下にあるフレーム（図示なし）により、構成要素をそれらの組み立てられた位置で示す。この場合トランジスタ・パッケージは図２と図３に関連して説明した実施例でのようなウイング９を有さない。むしろそれは一層通常の商業的に利用できる叉状の端部１８を有してねじを部分的に取り囲むようにした構成である。この場合、クランプ、ビア・ホール（ｖｉａ−ｈｏｌｅ）１５と導電性のビア・ホールがそこへ至る第５（接地）層との間で、接地（および冷却）接続が確立される。この目的のために、ブリッジ１の脚２が延長されて、ブリッジが位置へねじで取付けられるときに圧迫されてビア・ホール１５と直接接触する部分２０を含む。本書に示す回路基板は互いに重なり合う異なった８つの層からなり、その層５は適切なインピーダンス整合幾何学的パターンのために利用可能な寸法を達成するために、共通の接地層である。
【００１５】
図４と図５は、それぞれ導電性の銅トレース・パターン１６と同１７を図式的に示し、これらに対して縦方向の弾力のある部材４’がベース・タブ７とコレクタ・タブ８をそれぞれ圧迫する。この場合も同様に、反復される熱による膨張と収縮に晒されても破壊しないベースとコレクタのための電気的な接続が、熱散逸ブリッジ１を位置にねじで取付けると、半田付けや接着剤なしに確立される。
【００１６】
もちろんクランプを横並びおよび／または縦並びに結合または組み合わせて、複数のトランジスタ・ユニットのために多重クランプを形成できる。
【図面の簡単な説明】
本発明を添付図面に図示された例示的な実施例を参照して詳細に説明してきた。
【図１ａ】  図１ａは、本発明によるクランプの第１実施例の、それぞれ底面図、側面図、上面図、端面図である。
【図１ｂ】  図１ｂは、本発明によるクランプの第１実施例の、それぞれ底面図、側面図、上面図、端面図である。
【図１ｃ】  図１ｃは、本発明によるクランプの第１実施例の、それぞれ底面図、側面図、上面図、端面図である。
【図１ｄ】  図１ｄは、本発明によるクランプの第１実施例の、それぞれ底面図、側面図、上面図、端面図である。
【図２】  図２は、図１に示す第１実施例のクランプと回路基板（この図には図示しない）へトランジスタをクランプする以前のトランジスタの透視図を図式的に示す。
【図３】  図３は、トランジスタを回路基板（この図には図示しない）にクランプしたときの図２のクランプとトランジスタの透視図を図式的に示す。
【図４】  図４は、クランプの第２実施例の分解組立図であり、一層通常一般的に製造される形式であるトランジスタ・パッケージと、トランジスタとクランプがねじで固定される多層回路基板１２を示す。
【図５】  図５は、図４に示された構成要素を示し、下にある搭載部品（図示なし）へ共にねじで取付けられたときを示す。
【図１ａ】
0004094808.tif 000002
【図１ｂ】
0004094808.tif 000003
【図１ｃ】
0004094808.tif 000004
【図１ｄ】
0004094808.tif 000005
【図２】
0004094808.tif 000006
【図３】
0004094808.tif 000007
【図４】
0004094808.tif 000008
【図５】
0004094808.tif 000009